(57)【要約】      （修正有）【課題】ドアガラスの開閉に起因するずれ移動を効果的に防止することができるガラスランを提供する。【解決手段】自動車のドアフレームに設けられたサッシュにはガラスランが取り付けられている。ガラスランは基底部１１及び側壁部１２、１３と、ドアガラスとの間をシールするシールリップ１５、１６と基底部１１に設けられた車内外方向に伸縮可能な伸縮部１４を備えている。そして、基底部には伸縮部を収縮させた際に一体となる一対の突起３１ａ、３１ｂが設けられており、組付け時にはサッシュ上端部又はサッシュ開口部に当接もしくは近接する。従って、ドアガラスの開閉時にずれ応力が発生した際には係止突起がサッシュ端縁に係止されることによってずれ移動が防止される。【選択図】図２
2011121404.tif 000002
【特許請求の範囲】
【請求項１】
車両のドアフレームの内周に沿って設けられた断面コ字状のサッシュに取り付けられ、基底部及び該基底部から延びる車内側側壁部及び車外側側壁部よりなる断面略コ字状をなす本体部と、
前記車内側側壁部及び車外側側壁部の先端からそれぞれ本体部内側へ延び、ドアガラスとの間でシールを行うシールリップと、
前記基底部に形成され、車内外方向に伸縮可能な伸縮部とを有してなるガラスランであって、
前記伸縮部を間にして前記基底部の車内側及び車外側のサッシュ対向面側に一対の突起を形成し、該一対の突起を一体化させてサッシュの被係止部に係止可能な係止突起としたことを特徴とするガラスラン。
【請求項２】
前記サッシュの被係止部は、前記サッシュに形成された開口部（もしくは凹部）、又は、サッシュの上端部であることを特徴とする請求項１に記載のガラスラン。
【請求項３】
前記伸縮部の車内外方向への収縮状態において、前記一対の突起を一体化させるための嵌合手段として車外側突起と車内側突起の対向面上に嵌合用の凹凸形状を備えていることを特徴とする請求項１又は２に記載のガラスラン。
【発明の詳細な説明】
【技術分野】
【０００１】
本発明は、ガラスランに関するものである。
【背景技術】
【０００２】
一般に、自動車のドアフレームの内周に沿って前縦辺部、上辺部、及び後縦辺部からなるガラスランが設けられている。また、ガラスランは、その断面方向から見ると、基底部及び該基底部から延びる車内側側壁部及び車外側側壁部よりなる断面コ字形の本体部と、前記両側壁部の略先端から本体部内側に延びる車内側シールリップ及び車外側シールリップを備えている。上記ガラスランは、本体部がドアフレームの内周に沿って設けられた断面コ字状のサッシュに取着され、両シールリップによって、ドアガラスの内外面の周縁部が挟まれるようにしてシールされる。
【０００３】
ところで、ドアガラスの開閉に起因するずれ応力がガラスランに作用することがあり、この場合、ガラスランが長手方向にずれ移動を起こすことが懸念される。そこで、当該ずれ移動を防止するための技術として、コーナー部に移動防止用の突起を設けることが知られている。ずれ応力がガラスランに作用した際には、この突起がサッシュの開口部又は、端縁と当接することによって、ガラスランのずれ移動が規制されるようになっている。（例えば特許文献１参照）
【０００４】
また、ガラスランを形成する型成形部には、型成形に際し、本体部、車内側シールリップ、及び車外側シールリップの各内周面を成形するための金型（中子）を入れる必要があり、その中子の保持強度を保つべく、車内側側壁部と車外側側壁部とが大きく開くような展開形状に成形されるのが一般的である。（例えば特許文献２参照）ところが、サッシュへの取り付けに際して、車内側側壁部と車外側側壁部とを窄めるように変形させると、型成形部の屈曲角度等が変化してしまうおそれがある。この場合、ガラスランの全体形状がサッシュ形状に追従しなくなってしまい、サッシュへの取り付け状態の悪化等を招いてしまうおそれがある。
【先行技術文献】
【特許文献】
【０００５】
【特許文献１】特開２００６−００８０４５号公報
【特許文献２】特開２００５−２８０４１９号公報
【発明の概要】
【発明が解決しようとする課題】
【０００６】
しかしながら、基底部に伸縮部を設けたガラスランに上記特許文献１の技術を採用した場合、基底部に移動防止用突起を設置しようとすると、基底部に伸縮部が形成されているために基底部の幅が狭まってしまい、突起を設置できる範囲が減少してしまう。そのため、サッシュ端縁と当接している突起の幅を十分に確保することができないため、突起の剛性が足りずガラス開閉時にガラスランにずれ応力が加わると突起が変形してしまい、ずれ応力によるずれ移動を防止することができなくなることが懸念される。
【０００７】
本発明は上記事情に鑑みてなされたものであり、その目的は、突起の幅を確保しつつ、十分にずれ移動を防止することのできるガラスランを提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．車両のドアフレームの内周に沿って設けられた断面コ字状のサッシュに取り付けられ、基底部及び該基底部から延びる車内側側壁部及び車外側側壁部よりなる断面略コ字状をなす本体部と、
前記車内側側壁部及び車外側側壁部の先端からそれぞれ本体部内側へ延び、ドアガラスとの間でシールを行うシールリップと、
前記基底部に形成され、車内外方向に伸縮可能な伸縮部とを有してなるガラスランであって、
前記伸縮部を間にして前記基底部の車内側及び車外側のサッシュ対向面側に一対の突起を形成し、該一対の突起を一体化させてサッシュの被係止部に係止可能な係止突起としたことを特徴とするガラスラン。
【００１０】
上記手段１によれば、本体部が非展開状態の断面略コ字状をなした状態でガラスランを成形したとしても、伸縮部を車内外方向に伸長した状態で成形すれば、車内側側壁部及び車外側側壁部の先端同士が大きく広がるような展開形状とする必要がなく、両シールリップ間が開口した状態のガラスランを得ることができる。これにより、所定の滑性剤を塗布する場合にも、基底部の内周面及びシールリップのガラス摺動面に容易に塗布することができる。また、サッシュへの取り付けに際しても、断面形状を大きく変形させる必要がなくなるため、サッシュに対するガラスランの取り付け状態の安定化、シール性の向上等を図ることができる。
【００１１】
また、上記一対の突起を一体化させることで、伸縮部を避けて基底部側に設けた突起だけでは不足していた係止突起の幅を十分確保することができる。それによって、係止突起の剛性が増すことになるので、ずれ応力がガラスランに加わったとしても係止突起が変形することはなくなり、ずれ移動の防止を図ることができる。
【００１２】
さらに、突起を一体化させることによって、収縮状態においては突起周辺の伸縮部の形状を適正形状に維持することができるので、サッシュ部への取り付け作業時に突起部周辺からガラスランを取り付けることによって型崩れしにくく作業性の飛躍的な向上が図られる。
【００１３】
手段２．前記サッシュの被係止部は、前記サッシュに形成された開口部（もしくは凹部）、又は、サッシュの上端部であることを特徴とする手段１に記載のガラスラン。
【００１４】
なお、前記係止突起とサッシュに形成された開口部（もしくは凹部）とは正確に形状が合致していなくてもよく、若干移動した後に、突起が開口部もしくは凹部の端縁に当接されるような構成でも良い。
【００１５】
手段３．前記伸縮部の車内外方向への収縮状態において、前記一対の突起を一体化させるための嵌合手段として車外側突起と車内側突起の対向面上に嵌合用の凹凸形状を備えていることを特徴とする手段１又は２に記載のガラスラン。
【００１６】
手段３によれば、ガラスランにドアガラス閉時に発生するずれ応力が加わり突起がサッシュ端縁に押し当てられたとしても、嵌合用の凹凸形状を設けることによって一体化させた突起同士がずれることがなくなり、常にサッシュに対して車外側突起と車内側突起が一体となって当接することができる。
【００１７】
また、凹凸形状を設けることによって、凹凸形状が一体化させる際の位置決め手段となるので、突起同士を合わせる際にずれることが無くなり、確実に両者を一体化させることが可能になると共に、一体化させる作業を容易にすることができる。
【図面の簡単な説明】
【００１８】
【図１】図１はガラスランの概略構成を示す正面模式図である。
【図２】図２は展開状態のガラスランの断面図である。
【図３】図３は収縮状態のガラスランの断面図である。
【図４】図４はコーナー部における係止突起とサッシュの関係を示す部分断面図である。
【図５】図５はコーナー部における係止突起とサッシュの関係を示す部分断面図である。
【図６】図６は別の実施の形態におけるガラスランの基底部突起に設けた凹凸形状を示す図である。
【図７】図７は別の実施の形態におけるガラスランの基底部突起に設けた凹凸形状を示す図である。
【図８】図８は別の実施の形態におけるガラスランの基底部突起を示す図である。
【発明を実施するための形態】
【００１９】
以下に、一実施形態について図面を参照しつつ説明する。図１は、ドアの概略構成を示す正面模式図である。図２は、サッシュへの組付け前の展開状態のガラスランの断面図である。図３は、サッシュ組付け時の収縮状態のガラスランの断面図である。図４、図５は基底部に設けた係止突起とサッシュとの関係を示す部分断面図である。
【００２０】
図１に示すように、自動車用ドアフレーム（図ではフロントドア）ＤＦには、ドアガラスＤＧの昇降を案内し、ドアガラスＤＧが上昇して窓部が閉じられたときにドアガラスＤＧの外周とドアフレームＤＦとの間をシールするガラスラン１が設けられている。より詳しくは、ガラスラン１は、ドアガラスＤＧの上縁部に対応する部位である上辺部２、上辺部２の後端部から下方に延び、ドアガラスＤＧの後縁部に対応する部位である後縦辺部３、及び上辺部２の前端部から下方に延び、ドアガラスＤＧの前縁部に対応する部位である前縦辺部４を備えている。そして、ドアフレームＤＦ内に設けられたサッシュＤＳの内周に当該ガラスラン１が取付けられている。
【００２１】
ガラスラン１の後縦辺部３のリアドア側コーナー部５周辺にはサッシュＤＳに組付けた際に、サッシュＤＳのリアドア側縦辺部の上端部ＤＳ１、又はサッシュＤＳに設けた開口部（もしくは凹部）ＤＳ２に係止されてガラスラン１の位置を規制するための係止突起３１が設けられている。
【００２２】
図２に示すように、ガラスラン１は基底部１１に設けられている伸縮部１４によって車外側の部位と車内側の部位とに分けられている。車外側の部位は基底部１１の大部分（以下、車外側基底片部１１ａと称する）と、車外側側壁部１２と、車外側シールリップ１５と、車外側基底片部１１ａの幅全体に渡ってガラスラン外周側に設置されている車外側突起３１ａから構成されている。一方、車内側の部位は基底部１１の一部分（以下、車内側基底片部１１ｂと称する）と、車内側側壁部１３と、車内側シールリップ１６と、車内側基底片部１１ｂにガラスラン外周側に設置されている車内側突起３１ｂから構成されている。尚、上記のように、車外側基底片部１１ａが基底部１１の大部分を構成するため、伸縮部１４は、基底部１１のうち車内側側壁部１３との境界部近傍に設けられることとなる。
【００２３】
また、係止突起３１には車外側突起３１ａと車内側突起３１ｂを一体化させるために、車外側突起３１ａに嵌合用凹部６１ａが、車内側突起３１ｂには嵌合用凸部６１ｂが設けられている。これによって、車外側突起３１ａと車内側突起３１ｂの接触面積が大きくなるので両突起を一体化させた後に離れてしまうことがなくなる。
【００２４】
図３に示すように、ガラスラン１をサッシュＤＳに取り付ける際には、伸縮部１４を収縮させて車外側側壁部１２及び車内側側壁部１３を平行移動させていき、車外側突起３１ａと車内側突起３１ｂを一体化させる。突起を一体化させたことによって、サッシュＤＳへのガラスラン組付け時に収縮させた伸縮部１４が突起周辺部では再び展開してしまうことがなくなり、組み付けが容易になる。
【００２５】
なお、車外側突起３１ａと車内側突起３１ｂを一体化させる方法としては、前記嵌合用凹部６１ａと嵌合用凸部６１ｂを用いて一体化させるのと同時に、車外側突起３１ａと車内側突起３１ｂの相対する面に接着剤を塗布して貼り合わせても良いし、どちらか一方の面に両面テープを貼り付けて一体化させても良い。いずれの場合でも、凹凸形状が位置決め手段となるので、突起同士を合わせる際にずれることが無くなり、確実に両者を一体化させることが可能になると共に、一体化させる作業を容易にすることができる。
【００２６】
また、前記伸縮部１４は、収縮状態においては車外側基底片部１１ａと車内側側壁部１３に挟まれることになるが、その先端部分はドアガラスＤＧの端面と対向する基底部１１から突出することなく基底面の一部となるように構成するのが望ましい。これにより、基底部１１のドアガラスＤＧの端面と対向する面が略面一となり、摺動するドアガラスＤＧの端面が伸縮部へ当接することが少なくなる。よって、ドアガラスＤＧの端面の摺動位置や当接位置の安定性が確保され、ガラスラン１のシール性や耐久性の向上を図ることができる。
【００２７】
車外側突起３１ａと車内側突起３１ｂが一体となった係止突起３１は、図４に示すように、サッシュ組付け時にサッシュＤＳの上端部ＤＳ１に当接もしくは近接するように組み付けられるか、図５に示すように、サッシュＤＳに空けた開口部もしくは凹部に挿入され、開口部（もしくは凹部）ＤＳ２の端縁に当接もしくは近接するように組み付けられる。これにより、ドアガラスＤＧの開閉に起因するずれ応力がガラスラン１に作用する際に、係止突起３１がサッシュＤＳの上端部ＤＳ１又は開口部（もしくは凹部）ＤＳ２に係止されることによってガラスラン１のずれが防止される。
【００２８】
尚、上記実施形態の記載内容に限定されず、例えば次のように実施してもよい。勿論、
以下において例示しない他の応用例、変更例も当然可能である。
【００２９】
（ａ）ガラスラン１の構成としては、その長手方向にみて上辺部に対応する押出成形部と、前後の縦辺部に対応する押出成形部と、各押出成形部の端部同士を接続する型成形部とから構成されているものが考えられる。また、ガラスラン全体を型成形で一体成形してもよい。
【００３０】
（ｂ）車外側突起３１ａ、車内側突起３１ｂに設ける凹凸形状としては、図２に示した形状以外に、例えば、両突起部に凹凸形状を複数個設けても良いし、図６に示したように嵌合後に離れにくくするために凹凸形状（６２ａ、６２ｂ）を台形形状としても良いし、図７に示したように嵌合時に凸部を凹部に挿入しやすくするために凹凸形状（６３ａ、６３ｂ）を球体形状としても良い。これにより、車外側突起３１ａと車内側突起３１ｂの結合強度を高くすることができる。
【００３１】
また、車外側突起３１ａ、車内側突起３１ｂに設けた凹凸形状の設置は、車内側突起３１ｂの幅は車外側突起３１ａと比べると薄いため、車内側突起に凹部を設けてしまうと凹部があることで車内側突起の幅がさらに薄くなってしまう。そのため車内側突起３１ｂの剛性を確保するということを考えると車外側突起３１ａに凹部を、車内側突起３１ｂに凸部を設けることが好ましいが、車内側突起の剛性を確保できる範囲なら車外側突起３１ａに凸部を、車内側突起３１ｂに凹部を設けても問題はない。
【００３２】
なお、図８に示すように車外側突起３１ａと車内側突起３１ｂに嵌合用凹凸形状を設けずに、両突起を接着剤や両面テープなどで一体化させてもよい。
【００３３】
（ｃ）上記実施形態では、係止突起３１にはインサートを埋設していないが、型形成時に車外側突起３１ａ、又は、車内側突起３１ｂにインサートを埋設してもよいし、車外側突起３１ａにインサートを収容できるくぼみをあらかじめ作っておき、車外側突起３１ａと車内側突起３１ｂを一体化する際にインサートを挟み込んで一体化させてもよい。なお、埋設するインサートの材料としては樹脂性でも良いし、金属性でも良い。
【００３４】
（ｄ）上記実施形態における伸縮部１４の断面形状は特に限定されるものではなく、基底部１１において、車外側基底片部１１ａと車内側基底片部１１ｂとを連結し、車幅方向に伸縮可能に構成されていればよい。
【００３５】
例えば、伸縮部１４を、ガラスラン１のサッシュ対向面側に凸となるよう構成してもよい。尚、サッシュＤＳへの取り付け状態の安定化を図るといった観点からすると、伸縮部１４はガラスラン１のサッシュ対向面側からは突出しない方が望ましい。
【００３６】
（ｅ）ガラスラン１を構成する材料としてはＥＰＤＭ（エチレン−プロピレン−ジエン共重合ゴム）でも良いし、動的架橋型のオレフィン系熱可塑性エラストマー（ＴＰＶ）や、非架橋型のオレフィン系熱可塑性エラストマー（ＴＰＯ）等の別の素材により構成してもよい。
【００３７】
（ｆ）ガラスラン１に設ける係止突起３１は、図４と図５に示したようにリアドア側コーナー部５周辺に１つだけ設置するのではなく、サッシュに設けた開口部と上端部の両方に設置できるように係止突起３１を２つ設置しても良い。さらに、ガラスラン全体の外周において幾つか設けても良い
【符号の説明】
【００３８】
１    ガラスラン
１１    基底部
１１ａ    車外側基底片部
１１ｂ    車内側基底片部
１２    車外側側壁部
１３    車内側側壁部
１４    伸縮部
１５    車外側シールリップ
１６    車内側シールリップ
２    上辺部
３    後縦辺部
３１    係止突起
３１ａ    車外側突起
３１ｂ    車内側突起
４    前縦辺部
５    リアドア側コーナー部
６１ａ    嵌合用凹形状
６１ｂ    嵌合用凸形状
ＤＦ    ドアフレーム
ＤＧ    ドアガラス
ＤＳ    サッシュ
ＤＳ１    上端部
ＤＳ２    開口部（もしくは凹部）
【図１】
2011121404.tif 000003
【図２】
2011121404.tif 000004
【図３】
2011121404.tif 000005
【図４】
2011121404.tif 000006
【図５】
2011121404.tif 000007
【図６】
2011121404.tif 000008
【図７】
2011121404.tif 000009
【図８】
2011121404.tif 000010